(57)【要約】【課題】子供に対して有害番組の視聴を制限すると同時に、その視聴制限のタイミングで有益番組を視聴させる。【解決手段】制御部１８には、録画日時、再生の有無を含む有益番組情報を記憶する有害／有益番組情報記憶部２９を備えており、カメラ部２５により撮影した視聴者の顔画像に基づき、個人認証部２６によって認証した結果が予め設定された視聴制限対象の子供であり、ＥＰＧデータを検索した結果、受信番組が有害番組に該当する場合には、録画再生部４０に保存されている有益番組を再生してＴＶモニタ１５の画面に表示し、さらに、受信番組が設定された有害番組でない場合であっても、有益番組情報に基づき、有益番組が未再生のまま予め設定された所定時間を経過している場合、視聴を制限し、保存されている有益番組を再生してモニタ画面に表示する。【選択図】図１
2008206166.tif 000002
【特許請求の範囲】
【請求項１】
受信番組に関する番組情報を取得する取得部と、
放送信号を受信して映像信号と音声信号を得る放送信号受信部と、
視聴者を撮影する撮像部と、
撮像部により撮影された視聴者の顔画像と予め登録されている個人の顔画像とを比較することによって視聴している個人を認証する認証部と、
予め設定された有益番組を録画して保存する録画再生部と、
有害番組条件を設定する有害番組条件設定部と、
前記認証部による認証結果と前記番組情報に基づく受信番組の内容と前記設定された有害番組条件とに基づき、認証結果が視聴制限対象の個人であり、受信番組が設定された有害番組に該当する場合には、前記録画再生部に保存されている有益番組を再生して前記モニタ画面に表示する視聴制限制御部とを備え、
前記録画再生部に保存されている有益番組には録画後の経過時間情報と再生の有無情報
とが付加されており、
前記視聴制限制御部は、前記録画再生部に保存されている有益番組が未再生のまま予め設定された所定時間を経過している場合において、前記認識部による認識結果が視聴制限対象の個人である場合には、受信番組が前記設定された有害番組でない場合であっても視聴を制限し、前記有益番組を再生してモニタ画面に表示することを特徴とする放送信号受信システム。
【請求項２】
前記録画再生部に保存されている有益番組に視聴優先度を設定する優先度設定部をさらに備えており、
前記視聴制限制御部は、前記録画再生部に複数の有益番組が保存されている場合には、前記設定された優先度の高い順に有益番組を再生することを特徴とする請求項１に記載の放送信号受信システム。
【請求項３】
前記有害番組の設定は、前記取得部により取得した番組情報に含まれる番組名によって個別に設定することを特徴とする請求項１に記載の放送信号受信システム。
【発明の詳細な説明】
【技術分野】
【０００１】
本発明は、放送信号受信システムに係り、より詳細には、予め設定した規範に従って視聴番組を制限し、かつ有益番組を視聴させるようにした放送信号受信システムに関する。
【背景技術】
【０００２】
地上波放送やケーブルテレビ、衛星放送等の放送システムにおいては、暴力的なシーンや性的なシーンを含む映像信号の受信を制限するため、Ｖ−ｃｈｉｐシステムが提案されている。このＶ−ｃｈｉｐシステムでは、放送する番組のそれぞれに対して視聴制限のレベルを示すデータを付加し、これを受信する装置側では、視聴が可能となるレベルを予め設定し、この設定したレベルを満たす番組についてのみ、受信を可能にする構成となっている。
【０００３】
一方、カメラによる顔識別や指紋認識音声認識等により視聴しているユーザの認識を行い、その結果に応じて上記の視聴制限を行うか否かを自動的に判断して実行するように構成された装置も提案されている（例えば、特許文献１参照）。この装置によれば、視聴制限を単なるレベルの設定によって一律に行うのではなく、視聴者個人を特定して個別に視聴制限を行うことができる。
【０００４】
また、電源投入時に選局したチャンネルがこのような視聴制限に該当する番組である場合に、他のチャンネルを自動的に選択してモニタ画面に表示するように構成された装置も提案されている（例えば、特許文献２参照）。この場合、他のチャンネルとして、視聴者の好みのチャンネルないし嗜好情報に合致するようなチャンネルに設定できるようになっている。つまり、電源投入時に視聴制限のかからない他のチャンネルを視聴者の好みに応じて選択できるようになっている。
【特許文献１】特開２０００−１７５１１７号公報
【特許文献２】特開２００１−１０３３８７号公報
【発明の開示】
【発明が解決しようとする課題】
【０００５】
しかし、上記特許文献１の装置では、暴力的なシーンや性的なシーンを含む映像信号の受信を制限することのみに重点が置かれており、視聴制限した後のことについては十分に配慮されていない。そのため、視聴者自らが視聴可能なチャンネルに切り替える操作が必要であった。
【０００６】
また、上記特許文献２の装置では、視聴者自らが切り替え操作を行わなくても、視聴者の好みのチャンネルないし嗜好情報に合致するようなチャンネルに自動的に切り替えることができるようになっている。しかし、視聴制限にかかった場合に、他のチャンネルに視聴者の好みのチャンネルが必ずしもあるとは限らず、視聴者の選択肢としては狭い範囲のものにならざるを得ないといった問題があった。
【０００７】
ところで、このような視聴制限は、主として幼児や子供等に対して配慮された機能であり、親としては、暴力的なシーンや性的なシーンを含む有害番組の受信を制限する一方で、子供にとって有益な番組を積極的に視聴させたいといった希望がある。
【０００８】
本発明はかかる事情に鑑みて創案されたもので、その目的は、子供に対して有害番組の視聴を制限すると同時に、その視聴制限のタイミングで有益番組を視聴させるようにした放送信号受信システムを提供することにある。
【課題を解決するための手段】
【０００９】
上記課題を解決するため、請求項１に記載の発明は、放送信号受信システムにおいて、  受信番組に関する番組情報を取得する取得部と、放送信号を受信して映像信号と音声信号を得る放送信号受信部と、視聴者を撮影する撮像部と、撮像部により撮影された視聴者の顔画像と予め登録されている個人の顔画像とを比較することによって視聴している個人を認証する認証部と、予め設定された有益番組を録画して保存する録画再生部と、有害番組条件を設定する有害番組条件設定部と、前記認証部による認証結果と前記番組情報に基づく受信番組の内容と前記設定された有害番組条件とに基づき、認証結果が視聴制限対象の個人であり、受信番組が設定された有害番組に該当する場合には、前記録画再生部に保存されている有益番組を再生して前記モニタ画面に表示する視聴制限制御部とを備え、前記録画再生部に保存されている有益番組には録画後の経過時間情報と再生の有無情報とが付加されており、前記視聴制限制御部は、前記録画再生部に保存されている有益番組が未再生のまま予め設定された所定時間を経過している場合において、前記認識部による認識結果が視聴制限対象の個人である場合には、受信番組が前記設定された有害番組でない場合であっても視聴を制限し、前記有益番組を再生してモニタ画面に表示することを特徴とする。この場合、有害番組条件の設定は、取得部により取得した番組情報に含まれる番組名によって親が個別に設定できるようにする。
この場合、前記有害番組の設定は、前記取得部により取得した番組情報に含まれる番組名によって個別に設定するものであってもよい。
【００１０】
本発明によれば、認証部による認証の結果、撮像部により撮影された視聴者が子供であり、かつ、受信番組が例えば親により個別に設定された有害番組に該当する場合には、予め録画再生部に録画して保存しておいた有益番組を再生してモニタ画面に表示することができる。例えば、子供が視聴しようとしている番組が有害番組（例えば、低俗なアニメ番組や低俗なお笑い番組等）である場合に、予め録画しておいた有益番組（例えば、週間子供ニュース等）に切り替えてモニタ画面に表示することができる。これにより、子供には、有害番組の視聴を制限できると同時に、教育上有益な番組を視聴させることができる。この場合、有益番組は、親自身が選択して録画再生部に予め保存しておくことができるので、各家庭の事情に合わせた有益番組の設定が可能となる。
さらに、例えば週間子供ニュースを録画後、５日間経過しても一度も再生されていない場合には、子供がテレビをつけたときに、そのチャンネルが有害番組であるか否かに関わらず、週間子供ニュースを視聴させることが可能となる。
【００１１】
また、本発明によれば、前記録画再生部に保存されている有益番組に視聴優先度を設定する優先度設定部をさらに備えており、前記視聴制限制御部は、前記録画再生部に複数の有益番組が保存されている場合には、前記設定された優先度の高い順に有益番組を再生するように構成してもよい。このような構成とすることにより、視聴制限がかかっている間、親の設定した優先度に従って有益番組を子供に視聴させることが可能となる。なお、視聴制限のかかっている番組の放送が終了した場合には、その時点で再生されている有益番組を最後まで再生し終えたときに有益番組の再生も中止し、視聴制限時の選局チャンネルに戻って、受信番組をモニタ画面に表示するように切り替えを行ってもよい。
【発明の効果】
【００１２】
本発明によれば、認証部による認証の結果、撮像部により撮影された視聴者が子供であり、かつ、受信番組が有害番組に該当する場合には、予め録画再生部に録画して保存しておいた有益番組を再生してモニタ画面に表示することができる。これにより、例えば保護者が不在であっても、子供には、有害番組の視聴を制限できると同時に、教育上有益な番組を視聴させることができる。この場合、有益番組は、親自身が選択して録画再生部に予め保存しておくことができるので、各家庭の事情に併せた有益番組の設定が可能となる。
さらに、例えば週間子供ニュースを録画後、５日間経過しても一度も再生されていない場合には、子供がテレビをつけたときに、そのチャンネルが有害番組であるか否かに関わらず、週間子供ニュースを視聴させることが可能となる。
【発明を実施するための最良の形態】
【００１３】
以下、本発明の実施の形態について、図面を参照して説明する。
【００１４】
図１は、本発明の放送信号受信システムの全体構成を示す機能ブロック図である。
【００１５】
この放送信号受信システム１は、図示しないアンテナにて受信した放送信号を入力する入力端子１１ａを備えており、この入力端子１１ａにチューナ部１１が接続されている。チューナ部１１の出力は、デジタルの映像信号をアナログの映像信号に変換する映像デコーダ１２に接続されているとともに、デジタルの音声信号をアナログの音声信号に変換する音声デコーダ１３に接続されている。また、映像デコーダ１２の出力は、ＯＳＤ（オンスクリーンディスプレイ）回路１４を介してＴＶモニタ１５の映像入力端子１５ａに接続されている。また、音声デコーダ１３の出力は、ＴＶモニタ１５の音声入力端子１５ｂに接続されている。
【００１６】
また、チューナ部１１の出力は、受信した放送信号を例えばハードディスクレコーダまたはＤＶＤレコーダ等の録画再生装置４０に接続されており、この録画再生装置４０は、後述する制御部１８に接続されている。
【００１７】
さらに、チューナ部１１の出力は、受信した放送信号に含まれている最新の電子番組ガイド（ＥＰＧ）データを一時的に蓄積するＥＰＧデータ蓄積部（ＲＡＭやＥＥＰＲＯＭ等）１６に接続されている。
【００１８】
制御部１８は、図示は省略しているが、ＣＰＵ、ＲＯＭ、ＲＡＭ等により構成されており、チューナ部１１、映像デコーダ１２、音声デコーダ１３及びＯＳＤ回路１４をそれぞれ制御するようになっている。また、制御部１８には、ＥＰＧデータ蓄積部１６に蓄積されているＥＰＧデータを検索するデータ検索部１９が双方向に接続されており、制御部１８は、適宜のタイミングでデータ検索部１９を制御し、ＥＰＧデータ蓄積部１６に蓄積されているＥＰＧデータの検索を行うようになっている。
【００１９】
また、制御部１８には、各種キー操作信号を制御部１８に入力するキー入力部２１が接続されており、このキー入力部２１には、リモコン２３からのキー操作信号を受信する受信部２２の出力が接続されている。すなわち、キー入力部２１は、装置本体の前面パネルに設けられている各種キー（ボタン等）の操作信号を制御部１８に入力する他、受信部２２で受信されたリモコン２３からのキー操作信号も制御部１８に入力するようになっている。また、制御部１８には、現在時刻を計時する時計部２８が接続されている。
【００２０】
また、装置本体には、視聴者を撮影するための撮像部であるカメラ部（ＣＣＤカメラ部）２５が設けられている。このカメラ部２５の出力は、撮影画像に基づいて個人を認証する個人認証部２６に接続されており、この個人認証部２６での認証結果が制御部１８に入力されるようになっている。
【００２１】
さらに、制御部１８には、ユーザ（ここでは子供の保護者である親）によって設定された有害番組や有益番組の各種情報を記憶する有害／有益番組情報記憶部２９が接続されている。
【００２２】
上記構成において、個人認証部２６には、家族全員（ただし、幼児や子供等の小人だけでもよい）の身体的特徴（本実施形態では、顔の特徴）を示す情報が図示しない内部メモリに予め保存されている。この保存方法としては、例えばリモコン２３の図示しないメニューボタンを操作して認識情報の登録モードを選択する。認識情報登録モードとは、個人認証部２６により認識された被写体の特徴情報を予めメモリ部に保存する処理を実施するモードのことである。
【００２３】
具体的に説明すると、例えば子供の認識データを作成する場合、その子供の顔を、カメラ部２５から指定された距離だけ離れて撮影する。個人認証部２６は、この撮影した顔画像を基に子供認識データを作成する。画像認識技術は従来周知の技術であるので、ここでは詳細な説明を省略する。この子供認識データ（特徴データ）は、内部メモリに保存される。個人認証部２６では、以後、この内部メモリに保存されている認証データに基づいて特定の個人を認証する。
【００２４】
図２（ａ）は、有害／有益番組情報記憶部２９に記憶されている有益番組情報のデータ構成例を示している。
【００２５】
この有益番組情報は、本実施形態では、番組の内容に対応した番組名、視聴優先度、録画日時、再生の有無の４つの情報からなっている。このうち、番組名及び視聴優先度は、保護者によって例えばリモコン２３等より入力される。また、録画日時及び再生の有無は、制御部１８によって自動的に入力される。この例では、４つの番組Ａ〜Ｄに対応したそれぞれの番組名ａａａ〜ｄｄｄが保護者によって有益番組として登録されており、番組Ａが優先度１、番組Ｃが優先度２、番組Ｂが優先度３、番組Ｄが優先度４に設定されている。    
また、これらの有益番組Ａ〜Ｄが録画されると、その録画日時が録画日時の欄２９３に自動的に登録されるようになっている。従って、この録画日時の欄２９３に録画日時が登録されているか否かを確認することで、その番組が実際に録画されたか否かを確認することができる。また、この録画日時を確認することで、その番組の録画後の経過時間を計算することもできる。
【００２６】
例えば、現在日時が２００４年１０月３０日の午後７時００分であるとすると、番組名ａａａの番組Ａは２００４年１０月２４日の午後７時００分に録画されている（正確には録画を開始している）ので、番組Ａについては録画後（正確には録画開始後）６日が経過していることが分かる。また、録画された有益番組が再生された場合には、図２（ａ）の再生の有無の欄２９４に「有」が登録されるようになっている。そのため、この再生の有無の欄２９４を確認することで、録画された番組が既に再生済みであるか否かを確認することができる。因みに、図２（ａ）に示す例では、いずれの番組も再生されていない。
【００２７】
また、これらの有益番組は毎週１回放送されているものとし、録画再生部４０では、これらの番組を１週間ごとに更新しながら録画するようになっている。ただし、必ずしも更新録画する必要はなく、保護者自身がその番組を消去等しない限り録画再生部４０に保存しておいてもよい。なお、有益番組は、毎週１回放送されるものに限定されるものではなく、定期、不定期に放送されるものであってもよい。
【００２８】
また、図２（ｂ）は、有害／有益番組情報記憶部２９に記憶されている有害番組情報の一例を示している。この例では、有害番組として、番組名ｅｅｅ、番組名ｆｆｆ、番組名ｇｇｇの３つの番組Ｅ〜Ｇが保護者によって登録されている。
【００２９】
制御部１８は、個人認証部２６による認証結果と、ＥＰＧデータ蓄積部１６に蓄積されているＥＰＧデータに基づく受信番組の内容（例えば、番組名）と、有害／有益番組情報記憶部２９に記憶されている有害番組情報とに基づき、認証結果が視聴制限対象の個人であり、受信番組が設定された有害番組に該当する場合には、録画再生部４０に保存されている有益番組を再生してＴＶモニタ１５の画面に表示する視聴制限制御を行うようになっている。
【００３０】
以下、制御部１８による視聴制限制御について具体的に実施例を挙げて説明する。
【実施例１】
【００３１】
図３は、本実施例１の視聴制限制御処理を示すフローチャートである。以下、このフローチャートを参照して本実施例１の視聴制限制御を説明する。
【００３２】
例えば、リモコン２３によるテレビ電源のオン時に、制御部１８は、カメラ部２５を制御して視聴者を撮影する（ステップＳ１）。個人認証部２６は、カメラ部２５により撮影された視聴者の顔画像と、予め内部メモリに登録されている子供の顔画像とを比較することによって視聴者を認証し、その認証結果を図示しない内部メモリ等に保存する（ステップＳ２）。
【００３３】
この状態において、制御部１８は、データ検索部１９によりＥＰＧデータ蓄積部１６を検索し、受信しようとしている放送番組が有害／有益番組情報記憶部２９に記憶されている有害番組であるか否かを判断する（ステップＳ３）。この判断は、例えばリモコン２３によるチャンネル選局時やチャンネル切り替え時等に行う。その結果、受信しようとしている放送番組が設定された有害番組である場合（例えば、図２（ｂ）に示す番組名ｅｅｅの番組Ｅである場合）には、次に、内部メモリに保存している前記認証結果を参照し、認証した視聴者が子供であるか否かを判断する（ステップＳ４）。その結果、視聴者が子供でない場合（ステップＳ４でＮｏと判断された場合）には、ステップＳ６へと動作を進め、視聴制限は行わず、受信チャンネルの番組をそのままＴＶモニタ１５の画面に表示する。
【００３４】
一方、視聴者が子供である場合（ステップＳ４でＹｅｓと判断された場合）には、受信チャンネルの番組の視聴を制限し、録画再生部４０に保存されている有益番組を再生してＴＶモニタ１５の画面に表示する（ステップＳ５）。
【００３５】
ここで、有益番組を再生する場合、図２（ａ）に示すように、複数の有益番組が保存されており、かつこれらの番組に視聴優先度が設定されている場合には、視聴優先度の高い順に有益番組を再生する。具体的には、まず視聴優先度が１である番組Ａを再生し、番組Ａの再生を終了すると、次に視聴優先度が２である番組Ｃを再生し、番組Ｃの再生を終了すると、次に視聴優先度が３である番組Ｂを再生し、番組Ｂの再生を終了すると、次に視聴優先度が４である番組Ｄを再生する。
【００３６】
この場合、番組Ａ，Ｃ，Ｂ，Ｄと再生している途中で、視聴制限されている番組Ｅの放送が終了した場合には、その時点で再生している番組の再生を終了すると、録画再生部４０の再生動作を停止し、選局されているチャンネルの放送番組をＴＶモニタ１５の画面に表示する。つまり、通常の受信状態に切り替わるようになっている。
【００３７】
因みに、視聴制限する有害番組（例えば、番組Ｅ）と視聴優先度が１である有益番組Ａとが同じ放送時間（例えば、３０分等）である場合には、番組Ｅの受信に代えて番組Ａを再生し、番組Ａの再生終了後に、通常の受信状態に戻ることになる。また、視聴制限する有害番組（例えば、番組Ｆ）が１時間番組であり、これに対して有害／有益番組情報記憶部２９に記憶されている有益番組が例えば３０分番組の番組Ｂのみであった場合には、有害番組Ｆの放送が終了するまで、番組Ｂを繰り返し（この場合は２回）再生するようにしてもよい。
【実施例２】
【００３８】
上記実施例１では、有害番組の視聴制限時、録画再生部４０に保存されている有益番組を優先度の高い順に再生してＴＶモニタの画面に表示する構成としていたが、本実施例２では、再生する有益番組を子供が自由に選択できるようにした実施例である。
【００３９】
図４は、本実施例２の視聴制限制御処理を示すフローチャートである。以下、このフローチャートを参照して本実施例２の視聴制限制御を説明する。
【００４０】
例えば、リモコン２３によるテレビ電源のオン時に、制御部１８は、カメラ部２５を制御して視聴者を撮影する（ステップＳ１１）。個人認証部２６は、カメラ部２５により撮影された視聴者の顔画像と、予め内部メモリに登録されている子供の顔画像とを比較することによって視聴者を認証し、その認証結果を図示しない内部メモリ等に保存する（ステップＳ１２）。
【００４１】
この状態において、制御部１８は、データ検索部１９によりＥＰＧデータ蓄積部１６を検索し、受信しようとしている放送番組が有害／有益番組情報記憶部２９に記憶されている有害番組であるか否かを判断する（ステップＳ１３）。この判断は、例えばリモコン２３によるチャンネル選局時やチャンネル切り替え時等に行う。その結果、受信しようとしている放送番組が設定された有害番組である場合（例えば、図２（ｂ）に示す番組名ｅｅｅの番組Ｅである場合）には、次に、内部メモリに保存している前記認証結果を参照し、認証した視聴者が子供であるか否かを判断する（ステップＳ１４）。その結果、視聴者が子供でない場合（ステップＳ１４でＮｏと判断された場合）には、ステップＳ１８へと動作を進め、視聴制限は行わず、受信チャンネルの番組をそのままＴＶモニタ１５の画面に表示する。
【００４２】
一方、視聴者が子供である場合（ステップＳ１４でＹｅｓと判断された場合）には、受信チャンネルの番組の視聴を制限すると同時に、有害／有益番組情報記憶部２９に保存されている有益番組の一覧をＴＶモニタ１５の画面に表示し（ステップＳ１５）、この一覧から任意の有益番組が選択されたか否かを監視する（ステップＳ１６）。ここで、子供が、表示された有益番組の一覧から一つの有益番組（例えば番組Ｂ）を選択すると（ステップＳ１６でＹｅｓと判断されると）、制御部１８は、録画再生部４０に保存されているその選択された有益番組（番組Ｂ）を再生してＴＶモニタ１５の画面に表示する（ステップＳ５）。すなわち、本実施例２では、視聴優先度が設定されていても無効として扱うことになる。
【実施例３】
【００４３】
上記実施例１，２では、有害番組の視聴を必ず制限する実施例であったが、本実施例３では、時間帯によって視聴を許可するようにした実施例である。すなわち、視聴制限の時間帯を設定可能とした実施例である。ここで、視聴制限の時間帯の設定は、保護者がリモコン２３等を操作することによって設定可能となっている。設定された視聴制限の時間帯の情報は、例えば有害／有益番組情報記憶部２９の任意の領域に保存しておくことが可能である。視聴制限の時間帯としては、例えば親が共働きで午後７時ごろまでは不在である場合には、子供が学校から帰ってくる午後３時ごろから午後７時ごろまでを視聴制限時間帯として設定すればよい。
【００４４】
図５は、本実施例３の視聴制限制御処理を示すフローチャートである。以下、このフローチャートを参照して本実施例３の視聴制限制御を説明する。
【００４５】
例えば、リモコン２３によるテレビ電源のオン時に、制御部１８は、カメラ部２５を制御して視聴者を撮影する（ステップＳ２１）。個人認証部２６は、カメラ部２５により撮影された視聴者の顔画像と、予め内部メモリに登録されている子供の顔画像とを比較することによって視聴者を認証し、その認証結果を図示しない内部メモリ等に保存する（ステップＳ２２）。
【００４６】
この状態において、制御部１８は、データ検索部１９によりＥＰＧデータ蓄積部１６を検索し、受信しようとしている放送番組が有害／有益番組情報記憶部２９に記憶されている有害番組であるか否かを判断する（ステップＳ２３）。この判断は、例えばリモコン２３によるチャンネル選局時やチャンネル切り替え時等に行う。その結果、受信しようとしている放送番組が設定された有害番組である場合（例えば、図２（ｂ）に示す番組名ｅｅｅの番組Ｅである場合）には、次に、内部メモリに保存している前記認証結果を参照し、認証した視聴者が子供であるか否かを判断する（ステップＳ２４）。その結果、視聴者が子供でない場合（ステップＳ２４でＮｏと判断された場合）には、ステップＳ２７へと動作を進め、視聴制限は行わず、受信チャンネルの番組をそのままＴＶモニタ１５の画面に表示する。
【００４７】
一方、視聴者が子供である場合（ステップＳ２４でＹｅｓと判断された場合）には、次に時計部２８により現在時刻を確認し、現在時刻が予め設定されている視聴制限時間帯内であるか否かを判断する（ステップＳ２５）。その結果、現在時刻が視聴制限時間帯内である場合（ステップＳ２５でＹｅｓと判断された場合）には、受信チャンネルの番組（有害番組Ｅ）の視聴を制限し、録画再生部４０に保存されている有益番組を再生してＴＶモニタ１５の画面に表示する（ステップＳ２６）。このときの有益番組の再生制御は、上記実施例１のような視聴優先度による再生制御でもよいし、上記実施例２のような一覧表示による選択制御でもよい。
【００４８】
一方、現在時刻が視聴制限時間帯外である場合（ステップＳ２５でＮｏと判断された場合）には、ステップＳ２７へと動作を進め、視聴制限は行わず、受信チャンネルの番組をそのままＴＶモニタ１５の画面に表示する。
【実施例４】
【００４９】
上記実施例１〜３では、受信チャンネルの番組が有害番組である場合にのみ有益番組を視聴させる実施例であったが、本実施例４は、受信チャンネルの番組が有害番組であるか否かに関わらず、一定の条件を満たしている場合には有益番組を子供に視聴させる実施例である。
【００５０】
図６は、本実施例４の視聴制限制御処理を示すフローチャートである。以下、このフローチャートを参照して本実施例４の視聴制限制御を説明する。
【００５１】
制御部１８は、録画再生部４０に有益番組が録画されたか否かを監視し（ステップＳ３１）、有益番組が録画された場合には、その有益番組の録画後、予め設定された所定時間（例えば５日等）が経過しているか否かを監視する（ステップＳ３２）。所定時間経過しているか否かの確認は、上記したように、有害／有益番組情報記憶部２９に記憶されている有益番組情報データの中の録画日時と時計部２８の現在時刻とに基づいて計算することができる。その結果、所定時間経過している場合（ステップＳ３２でＹｅｓと判断された場合）には、その有益番組が未再生であるか否かを確認する（ステップＳ３３）。そして、有益番組が未再生のまま予め設定された所定時間を経過している場合には（ステップＳ３３でＹｅｓと判断された場合）には、リモコン２３等により図示しないテレビの電源がオンされたか否か、または電源オン後にチャンネル選局（切り替え）操作が行われたか否かを監視し（ステップＳ３４）、電源オンまたはチャンネル選局された場合（ステップＳ３４でＹｅｓと判断された場合）には、カメラ部２５を制御して視聴者を撮影する（ステップＳ３５）。
【００５２】
個人認証部２６は、カメラ部２５により撮影された視聴者の顔画像と、予め内部メモリに登録されている子供の顔画像とを比較することによって視聴者を認証し（ステップＳ３６）、その認証した視聴者が子供であるか否かを判断する（ステップＳ３７）。その結果、視聴者が子供でない場合（ステップＳ３７でＮｏと判断された場合）には、ステップＳ３９へと動作を進め、受信チャンネルの番組をそのままＴＶモニタ１５の画面に表示する。
【００５３】
一方、視聴者が子供である場合（ステップＳ３７でＹｅｓと判断された場合）には、録画再生部４０に保存されている未再生のまま所定時間を経過している有益番組（例えば、図２（ａ）の有益番組Ａ）を再生してＴＶモニタ１５の画面に表示する（ステップＳ３８）。
【００５４】
このような視聴制限制御とすることにより、例えば週間子供ニュース等の有益番組Ａを録画後、５日間経過しても一度も再生されていない場合には、子供がテレビをつけたとき等に、そのチャンネルが有害番組であるか否かに関わらず、有益番組である週間子供ニュースを視聴させることができる。
【図面の簡単な説明】
【００５５】
【図１】本発明の放送信号受信システムの全体構成を示す機能ブロック図である。
【図２】（ａ）は、有害／有益番組情報記憶部に記憶されている有益番組情報のデータ構成例、（ｂ）は、有害／有益番組情報記憶部に記憶されている有害番組の例である。
【図３】本発明の放送信号受信システムの実施例１に係る視聴改善制御処理を示すフローチャートである。
【図４】本発明の放送信号受信システムの実施例２に係る視聴改善制御処理を示すフローチャートである。
【図５】本発明の放送信号受信システムの実施例３に係る視聴改善制御処理を示すフローチャートである。
【図６】本発明の放送信号受信システムの実施例４に係る視聴改善制御処理を示すフローチャートである。
【符号の説明】
【００５６】
１ 放送信号受信システム
１１ チューナ部
１２ 映像デコーダ
１３ 音声デコーダ
１４ ＯＳＤ回路
１５ ＴＶモニタ
１６ ＥＰＧデータ蓄積部
１８ 制御部
１９ データ検索部
２１ キー入力部
２２ 受信部
２３ リモコン部
２５ カメラ部
２６ 個人認証部
２８ 時計部
２９ 有害／有益番組情報記憶部
４０ 録画再生装置
【図１】
2008206166.tif 000003
【図２】
2008206166.tif 000004
【図３】
2008206166.tif 000005
【図４】
2008206166.tif 000006
【図５】
2008206166.tif 000007
【図６】
2008206166.tif 000008